(57)【要約】【課題】加熱体の交差方向における局所的なトナーの堆積を抑制する。【解決手段】定着装置は、一方向へ周回して、トナー画像を加熱する加熱体と、前記加熱体に接触した状態で前記一方向又はその反対方向に移動して、前記加熱体に付着したトナーを除去する除去体であって、前記加熱体との接触面に該トナーを前記一方向と交差する交差方向へ移動させる形状を有する前記除去体と、を備える。【選択図】図３
2017026718.tif 000002
【特許請求の範囲】
【請求項１】
一方向へ周回して、トナー画像を加熱する加熱体と、
前記加熱体に接触した状態で前記一方向又はその反対方向に移動して、前記加熱体に付着したトナーを除去する除去体であって、前記加熱体との接触面に該トナーを前記一方向と交差する交差方向へ移動させる形状を有する前記除去体と、
を備える定着装置。
【請求項２】
一方向へ周回して、トナー画像を加熱する加熱体と、
前記加熱体に接触した状態で前記一方向又はその反対方向に移動して、前記加熱体に付着したトナーを除去する除去部材と、
前記除去部材に接触した状態で前記一方向又はその反対方向に移動して、前記除去部材に付着したトナーを除去する除去体であって、前記除去部材との接触面に該トナーを前記一方向と交差する交差方向へ移動させる形状を有する前記除去体と、
を備える定着装置。
【請求項３】
前記形状は、
前記除去体の前記交差方向一端側に形成され、前記除去体の前記交差方向一端へ前記トナーを移動させる第一形状と、
前記除去体の前記交差方向他端側に形成され、前記除去体の前記交差方向他端へ前記トナーを移動させる第二形状と、
を有する請求項１又は２に記載の定着装置。
【請求項４】
前記除去体は、軸部の軸方向端部が軸受で支持された回転体であり、
前記軸部には、前記軸受へのトナーの移動を制限する制限部が設けられている
請求項３に記載の定着装置。
【請求項５】
トナー画像を記録媒体に形成する画像形成部と、
前記画像形成部が形成したトナー画像を前記記録媒体に定着させる請求項１〜４のいずれか１項に記載の定着装置と、
を備える画像形成装置。
【発明の詳細な説明】
【技術分野】
【０００１】
本発明は、定着装置、画像形成装置に関する。
【背景技術】
【０００２】
特許文献１には、ヒートロールに接触して回転しそのヒートロールに付着している残存トナーをそのヒートロールから剥がして自らに付着させる清掃ロールを有する定着装置が開示されている。
【先行技術文献】
【特許文献】
【０００３】
【特許文献１】特開２０１４−５９３９０号公報
【発明の概要】
【発明が解決しようとする課題】
【０００４】
加熱ロール等の加熱体及び加圧ロール等の加圧体が周回することで搬送される記録媒体に、縁なしのトナー画像を定着する定着装置では、加圧体の加圧により、記録媒体の側縁から外側へトナーがはみ出して、該トナーが加熱体へ付着する場合がある。
【０００５】
この場合では、トナーが加熱体へ付着する位置が、加熱体の周回方向と交差する交差方向における特定の位置となるため、加熱体の交差方向において局所的にトナーが堆積しやすい。
【０００６】
本発明は、トナーが加熱体に付着した位置で留まる構成に比べ、加熱体の交差方向における局所的なトナーの堆積を抑制することを目的とする。
【課題を解決するための手段】
【０００７】
請求項１の発明は、一方向へ周回して、トナー画像を加熱する加熱体と、前記加熱体に接触した状態で前記一方向又はその反対方向に移動して、前記加熱体に付着したトナーを除去する除去体であって、前記加熱体との接触面に該トナーを前記一方向と交差する交差方向へ移動させる形状を有する前記除去体と、を備える。
【０００８】
請求項２の発明は、一方向へ周回して、トナー画像を加熱する加熱体と、前記加熱体に接触した状態で前記一方向又はその反対方向に移動して、前記加熱体に付着したトナーを除去する除去部材と、前記除去部材に接触した状態で前記一方向又はその反対方向に移動して、前記除去部材に付着したトナーを除去する除去体であって、前記除去部材との接触面に該トナーを前記一方向と交差する交差方向へ移動させる形状を有する前記除去体と、を備える。
【０００９】
請求項３の発明では、前記形状は、前記除去体の前記交差方向一端側に形成され、前記除去体の前記交差方向一端へ前記トナーを移動させる第一形状と、前記除去体の前記交差方向他端側に形成され、前記除去体の前記交差方向他端へ前記トナーを移動させる第二形状と、を有する。
【００１０】
請求項４の発明では、前記除去体は、軸部の軸方向端部が軸受で支持された回転体であり、前記軸部には、前記軸受へのトナーの移動を制限する制限部が設けられている。
【００１１】
請求項５の発明は、トナー画像を記録媒体に形成する画像形成部と、前記画像形成部が形成したトナー画像を前記記録媒体に定着させる請求項１〜４のいずれか１項に記載の定着装置と、を備える。
【発明の効果】
【００１２】
本発明の請求項１の構成によれば、トナーが加熱体に付着した位置で留まる構成に比べ、加熱体の交差方向における局所的なトナーの堆積を抑制できる。
【００１３】
本発明の請求項２の構成によれば、トナーが加熱体に付着した位置で留まる構成に比べ、加熱体の交差方向における局所的なトナーの堆積を抑制できる。
【００１４】
本発明の請求項３の構成によれば、除去体から除去体の交差方向一端側及び交差方向他端側へトナーを排除できる。
【００１５】
本発明の請求項４の構成によれば、トナーの軸受への移動が許容される構成に比べ、軸受にトナーが入り込むことを抑制できる。
【００１６】
本発明の請求項５の構成によれば、トナーが加熱体に付着した位置で留まる構成に比べ、加熱体のトナーの除去不良に起因する画像不良を抑制できる。
【図面の簡単な説明】
【００１７】
【図１】第一実施形態に係る画像形成装置の構成を示す概略図である。
【図２】第一実施形態に係る定着装置の構成を示す概略図である。
【図３】第一実施形態に係る定着装置の構成を示す概略図である。
【図４】第一実施形態に係る溝部の構成を示す概略図である。
【図５】縁なしのトナー画像のトナーがはみ出して加熱ロールに付着する様子を示す模式図である。
【図６】第二実施形態に係る定着装置の構成を示す概略図である。
【図７】第二実施形態に係る定着装置の構成を示す概略図である。
【図８】清掃ロールに替えて清掃シートを用いた変形例を示す斜視図である。
【図９】溝部に替えて切込みを清掃ロールに形成した変形例を示す概略図である。
【図１０】溝部に替えて凸部を清掃ロールに形成した変形例を示す概略図である。
【図１１】溝部の変形例を示す概略図である。
【図１２】制限部の変形例を示す概略図である。
【発明を実施するための形態】
【００１８】
以下に、本発明に係る実施形態の一例を図面に基づき説明する。
【００１９】
（第一実施形態）
（画像形成装置１０）
まず、画像形成装置１０の構成を説明する。図１は、画像形成装置１０の構成を示す概略図である。
【００２０】
画像形成装置１０は、図１に示されるように、各構成部品が内部に収容される画像形成装置本体１１（筐体）を備えている。画像形成装置本体１１の内部には、用紙等の記録媒体Ｐが収容される複数の収容部１２と、記録媒体Ｐに画像を形成する画像形成部１４と、記録媒体Ｐに形成された画像を記録媒体Ｐに定着する定着装置６０と、が設けられている。画像形成装置本体１１の内部には、さらに、収容部１２から画像形成部１４へ記録媒体Ｐを搬送する搬送部１６と、画像形成装置１０の各部の動作を制御する制御部２０と、が設けられている。また、画像形成装置本体１１の上部には、定着装置６０によって画像が定着された記録媒体Ｐが排出される排出部１８が設けられている。
【００２１】
画像形成部１４は、縁に余白部分を有さない縁なし画像を記録媒体Ｐに形成可能とされている。具体的には、画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される中間転写ベルト２４と、を備えている。さらに、画像形成部１４は、各画像形成ユニット２２Ｙ〜２２Ｋで形成されたトナー画像を中間転写ベルト２４に転写する第一転写ロール２６と、第一転写ロール２６によって中間転写ベルト２４に転写されたトナー画像を中間転写ベルト２４から記録媒体Ｐへ転写する第二転写ロール２８と、を備えている。なお、画像形成部１４は、上記の構成に限られず、他の構成であっても良く、記録媒体Ｐに画像を形成するものであればよい。
【００２２】
画像形成ユニット２２Ｙ〜２２Ｋは、水平方向に対して傾斜した状態で、画像形成装置本体１１の内部に配置されている。また、画像形成ユニット２２Ｙ〜２２Ｋは、一方向（例えば、図１における反時計回り方向）へ回転する感光体３２をそれぞれ有している。なお、各画像形成ユニット２２Ｙ〜２２Ｋは、同様に構成されているので、図１において、画像形成ユニット２２Ｍ、２２Ｃ、２２Ｋにおける各部の符号を省略している。
【００２３】
各感光体３２の周囲には、感光体３２の回転方向上流側から順に、感光体３２を帯電させる帯電装置としての帯電ロール２３と、帯電ロール２３によって帯電した感光体３２を露光して感光体３２に静電潜像を形成する露光装置３６と、露光装置３６によって感光体３２に形成された静電潜像を現像してトナー画像を形成する現像装置３８と、が設けられている。
【００２４】
露光装置３６は、制御部２０から送られた画像信号に基づき静電潜像を形成するようになっている。制御部２０から送られる画像信号としては、例えば、制御部２０が外部装置から取得した画像信号がある。
【００２５】
現像装置３８は、感光体３２へ現像剤を供給する現像剤供給体３８Ａと、現像剤供給体３８Ａへ付与される現像剤を攪拌しながら搬送する複数の搬送部材３８Ｂと、を備えている。
【００２６】
中間転写ベルト２４は、環状に形成されると共に、画像形成ユニット２２Ｙ〜２２Ｋの上側に配置されている。中間転写ベルト２４の内周側には、中間転写ベルト２４が巻き掛けられる巻掛ロール４２、４３、４４が設けられている。中間転写ベルト２４は、例えば、巻掛ロール４４が回転駆動することによって、感光体３２と接触しながら一方向（例えば、図１における時計回り方向）へ循環移動（回転）するようになっている。なお、巻掛ロール４２は、第二転写ロール２８に対向する対向ロールとされている。
【００２７】
第一転写ロール２６は、中間転写ベルト２４を挟んで感光体３２に対向している。第一転写ロール２６と感光体３２との間が、感光体３２に形成されたトナー画像が中間転写ベルト２４に転写される第一転写位置とされている。
【００２８】
第二転写ロール２８は、中間転写ベルト２４を挟んで巻掛ロール４２に対向している。第二転写ロール２８と巻掛ロール４２との間が、中間転写ベルト２４に転写されたトナー画像が記録媒体Ｐに転写される第二転写位置とされている。
【００２９】
搬送部１６は、収容部１２に収容された記録媒体Ｐを送り出す送出ロール４６と、送出ロール４６に送り出された記録媒体Ｐが搬送される搬送路４８と、搬送路４８に沿って配置され送出ロール４６によって送り出された記録媒体Ｐを第二転写位置へ搬送する複数の搬送ロール５０と、を有している。
【００３０】
定着装置６０は、第二転写位置に対する搬送方向下流側に配置されており、第二転写ロール２８によって記録媒体Ｐに転写されたトナー画像を記録媒体Ｐに定着させる。この定着装置６０の搬送方向下流側には、トナー画像が定着された記録媒体Ｐを排出部１８へ搬送する複数の搬送ロール５２が設けられている。なお、定着装置６０の具体的な構成については後述する。
【００３１】
次に、本実施形態に係る画像形成装置１０における、記録媒体Ｐへ画像を形成する画像形成動作について説明する。
【００３２】
本実施形態に係る画像形成装置１０では、収容部１２から送出ロール４６によって送り出された記録媒体Ｐが、複数の搬送ロール５０によって第二転写位置へ送り込まれる。
【００３３】
一方、画像形成ユニット２２Ｙ〜２２Ｋでは、帯電ロール２３によって帯電した感光体３２が、露光装置３６によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、第一転写位置にて中間転写ベルト２４に転写されて、カラー画像が形成される。そして、中間転写ベルト２４に形成されたカラー画像が、第二転写位置にて記録媒体Ｐへ転写される。
【００３４】
トナー画像が転写された記録媒体Ｐは、定着装置６０へ搬送され、転写されたトナー画像が定着装置６０により定着される。トナー画像が定着された記録媒体Ｐは、搬送ロール５２によって排出部１８に排出される。以上のように、一連の画像形成動作が行われる。
【００３５】
（定着装置６０）
次に、本実施形態に係る定着装置６０の構成を説明する。図２及び図３は、本実施形態に係る定着装置６０の構成を示す概略図である。
【００３６】
定着装置６０は、図２に示されるように、一方向（図２において時計回り方向）へ回転する加熱ロール６２（加熱体の一例）と、一方向（図２において反時計回り方向）へ回転する加圧ロール６４（加圧体の一例）と、を備えている。加熱ロール６２及び加圧ロール６４は、少なくとも一方が回転駆動するようになっている。加熱ロール６２及び加圧ロール６４の一方が回転する構成では、他方が従動回転するようになっている。
【００３７】
加熱ロール６２と加圧ロール６４とは、軸方向が揃えられ外周面が接触して接触領域Ｎ１（ニップ部）を形成している。定着装置６０では、接触領域Ｎ１の間に導入された記録媒体Ｐを加熱ロール６２によって加熱すると共に加圧ロール６４によって加圧することで、記録媒体Ｐにトナー画像を定着させる。
【００３８】
具体的には、加熱ロール６２及び加圧ロール６４は、それぞれ、基材６２Ａ、６４Ａと、弾性層６２Ｂ、６４Ｂと、表面層６２Ｃ、６４Ｃと、を有している。
【００３９】
基材６２Ａ、６４Ａは、円筒状に形成されている。基材６２Ａ、６４Ａの材料としては、一例として、アルミニウム、鉄、ステンレス等の金属が挙げられる。
【００４０】
弾性層６２Ｂ、６４Ｂは、それぞれ、円筒状に形成されている。弾性層６２Ｂ、６４Ｂの内周面が、それぞれ、基材６２Ａ、６４Ａの外周面に接合されている。弾性層６２Ｂ、６４Ｂの材料としては、一例として、シリコーンゴム、フッ素ゴム等の弾性材料（ゴム材料）が挙げられる。
【００４１】
表面層６２Ｃ、６４Ｃは、それぞれ、円筒状に形成されている。表面層６２Ｃ、６４Ｃの内周面は、それぞれ、弾性層６２Ｂ、６４Ｂの外周面に接合されている。表面層６２Ｃ、６４Ｃの材料としては、一例として、フッ素樹脂等の樹脂材料が挙げられる。
【００４２】
このように、加熱ロール６２及び加圧ロール６４は、それぞれ、基材６２Ａ、６４Ａの外周に、弾性層６２Ｂ、６４Ｂ及び表面層６２Ｃが積層されることで構成されている。なお、加熱ロール６２の基材６２Ａの内部には、ハロゲンランプ等の熱源６２Ｄが配置されている。この熱源６２Ｄにより、加熱ロール６２が熱せられる。
【００４３】
さらに、定着装置６０は、図２及び図３に示されるように、加熱ロール６２の表面層６２Ｃを清掃する清掃ロール７０（除去体の一例、回転体の一例）を有している。この清掃ロール７０は、軸方向が加熱ロール６２の軸方向に沿った状態で、加熱ロール６２の下側に配置されている。
【００４４】
清掃ロール７０は、具体的には、軸部７０Ａと、弾性層７０Ｂと、を有している。軸部７０Ａは、円柱状又は円筒状に形成されている。軸部７０Ａの材料としては、一例として、アルミニウム、鉄、ステンレス等の金属が挙げられる。清掃ロール７０の軸部７０Ａの軸方向両端部には、図３に示されるように、軸受７８が配置されている。この軸受７８は、軸部７０Ａの軸方向両端部を回転可能に支持している。
【００４５】
弾性層７０Ｂは、円筒状に形成されている。弾性層７０Ｂの内周面が、軸部７０Ａの外周面に接合されている。このように、弾性層７０Ｂは、軸部７０Ａの外周に積層されている。これにより、弾性層７０Ｂによって、軸部７０Ａの外周面が、軸方向両端部を除いて被覆されている。すなわち、軸部７０Ａの外周面は、軸方向両端部でのみ露出している。
【００４６】
弾性層７０Ｂの材料としては、一例として、シリコーンゴム等の弾性材料が挙げられる。弾性層７０Ｂの硬度は、一例として、加熱ロール６２の表面層６２Ｃの硬度よりも低硬度とされている。具体的には、ＪＩＳＡ硬度で１５度程度のゴム硬度のものが使用される。
【００４７】
清掃ロール７０は、弾性層７０Ｂが予め定められた荷重にて、加熱ロール６２の表面層６２Ｃと接触している。これにより、清掃ロール７０と加熱ロール６２との接触領域Ｎ２（図２参照）が形成される。また、清掃ロール７０は、駆動部の駆動力によって、一方向へ回転する駆動ロールとして構成されている。清掃ロール７０は、具体的には、加熱ロール６２と同じ方向（図２において時計回り方向）に回転する。このため、清掃ロール７０と加熱ロール６２との接触部分において摩擦する。
【００４８】
そして、清掃ロール７０は、加熱ロール６２の表面層６２Ｃに接触した状態で回転することで、加熱ロール６２に付着したトナーを除去し、除去されたトナーを自らの弾性層７０Ｂに付着させる。
【００４９】
ここで、図３に示されるように、清掃ロール７０の弾性層７０Ｂの表面における清掃ロール７０の軸方向一端部及び他端部には、それぞれ、螺旋状の溝部７２（第一形状の一例）及び溝部７３（第二形状の一例）が形成されている。この溝部７２は、Ａ方向矢視にて清掃ロール７０の軸方向中央側から軸方向一端側（Ａ方向）へ向けて反時計方向へ旋回した一続きの螺旋状に形成されている。
【００５０】
これにより、清掃ロール７０の回転により、溝部７２における軸方向中央側の縁部７２Ａが、清掃ロール７０と加熱ロール６２との接触領域Ｎ２（図２参照）にあるトナーを、軸方向一端側（Ａ方向）へ押して、軸方向一端側（Ａ方向）へ移動させる。
【００５１】
また、溝部７３は、Ｂ方向矢視にて清掃ロール７０の軸方向中央側から軸方向他端側（Ｂ方向）へ向けて時計方向へ旋回した一続きの螺旋状に形成されている。
【００５２】
これにより、清掃ロール７０の回転により、溝部７３における軸方向中央側の縁部７３Ａが、清掃ロール７０と加熱ロール６２との接触領域Ｎ２（図２参照）にあるトナーを、軸方向他端側（Ｂ方向）へ押して、軸方向他端側（Ｂ方向）へ移動させる。
【００５３】
溝部７２、７３としては、例えば、縁部がＶ字状に形成された溝や（図４（Ａ）参照）、縁部がＵ字状（半円状）に形成された溝や（図４（Ｂ）参照）、断面矩形状とされた溝（図４（Ｃ）参照）で構成される。なお、図４では、清掃ロール７０の弾性層７０Ｂを平板状に展開した状態で示している。
【００５４】
また、溝部７２は、図３に示されるように、接触領域Ｎ１（図２参照）において記録媒体Ｐの側端が通過する位置Ｘ１よりも軸方向中央側から軸方向一端へ形成されている。溝部７３は、接触領域Ｎ１において記録媒体Ｐの側端が通過する位置Ｘ２よりも軸方向中央側から軸方向他端へ形成されている。
【００５５】
なお、複数の異なるサイズ（幅）の記録媒体Ｐが接触領域Ｎ１を通過する場合には、例えば、溝部７２は、最小サイズ（幅）の記録媒体Ｐの側端が通過する位置Ｘ１よりも軸方向中央側から軸方向一端へ形成されている。溝部７３においても、同様である。また、複数の異なるサイズ（幅）の記録媒体Ｐが接触領域Ｎ１を通過する場合には、例えば、溝部７２は、縁なしのトナー画像を形成する場合での使用頻度が高いサイズ（幅）の記録媒体Ｐの側端が通過する位置Ｘ１よりも軸方向中央側から軸方向一端へ形成されていてもよい。溝部７３においても、同様である。図２においては、記録媒体Ｐのサイズ（幅）を符号Ｗにて示している。
【００５６】
さらに、本実施形態では、溝部７２が形成された第一形成領域Ｚ１と溝部７３が形成された第二形成領域Ｚ２との幅（清掃ロール７０の軸方向に沿った長さ）は同じとされている。また、当該第一形成領域Ｚ１と第二形成領域Ｚ２との間には、溝部が形成されていない非形成領域Ｚ３が配置されている。当該非形成領域Ｚ３の幅は、第一形成領域Ｚ１及び第二形成領域Ｚ２の幅よりも、広くされている。なお、当該非形成領域Ｚ３の幅は、第一形成領域Ｚ１及び第二形成領域Ｚ２の幅より狭くてもよい。また、当該非形成領域Ｚ３を有さない構成であってもよい。すなわち、溝部７２における清掃ロール７０の軸方向中央側の端部と、溝部７３における清掃ロール７０の軸方向中央側の端部とが、清掃ロール７０の軸方向の同じ位置に配置されていてもよい。さらに、溝部７２の当該端部と、溝部７３の当該端部とは、若干量であれば、清掃ロール７０の軸方向に重なっていてもよい。
【００５７】
以上のように、清掃ロール７０は、トナーを軸方向（回転方向と交差する交差方向）へ移動させる形状を有している。なお、清掃ロール７０が逆回転する場合には、溝部７２、７３は逆巻の螺旋となる。
【００５８】
また、清掃ロール７０の軸部７０Ａの軸方向両端部における軸受７８に対する軸方向内側には、軸受７８へのトナーの移動を制限する制限部９０が設けられている。制限部９０は、清掃ロール７０の軸部７０Ａの外径よりも大きい外径を有する環状であって、清掃ロール７０の軸方向に厚みを有する板状に形成されている。
【００５９】
（第一実施形態に係る作用）
本実施形態では、画像形成部１４にて縁なしのトナー画像が記録媒体Ｐに形成され、該トナー画像が定着装置６０で定着されると、以下のように、加熱ロール６２の外周面（表面層６２Ｃの外周面）にトナーが付着する。
【００６０】
図５（Ａ）に示されるように、縁なしのトナー画像Ｇは、記録媒体Ｐの表面における側端ＰＳ側までトナーが転写される。このため、接触領域Ｎ１（図２参照）にて記録媒体Ｐが加圧されると、図５（Ｂ）に示されるように、トナーが記録媒体Ｐの側端ＰＳから外側へはみ出して加熱ロール６２の外周面に付着する。
【００６１】
このように、トナーが記録媒体Ｐの側端ＰＳから外側へはみ出して加熱ロール６２の外周面に付着するため、記録媒体Ｐの側端ＰＳが通過する位置Ｘ１、Ｘ２（図３参照）からその外側の領域Ｙ１、Ｙ２（図３参照）でトナーが付着しやすい。
【００６２】
そして、清掃ロール７０は、加熱ロール６２の表面層６２Ｃに接触した状態で回転することで、加熱ロール６２に付着したトナーを除去し、除去されたトナーを自らの弾性層７０Ｂに付着させる。
【００６３】
ここで、溝部７２、７３を有さない清掃ロール７０を用いた構成（比較例）では、加熱ロール６２に付着したトナーが、加熱ロール６２の軸方向に移動されず、加熱ロール６２に付着した位置（領域Ｙ１、Ｙ２）で留まる。このため、加熱ロール６２の軸方向（交差方向）において局所的にトナーが堆積する。トナーが局所的に堆積すると、清掃ロール７０の堆積した部分で、トナーの除去性能が低下する。また、トナーが局所的に堆積すると、清掃ロール７０と加熱ロール６２との間に接触圧が低い部分が形成される。以上により、加熱ロール６２に対するトナーの除去不良（清掃不良）が生じる。
【００６４】
これに対して、本実施形態では、清掃ロール７０の回転により、溝部７２における軸方向中央側の縁部７２Ａが、清掃ロール７０と加熱ロール６２との接触領域Ｎ２にあるトナーを、軸方向一端側（Ａ方向）へ押して、軸方向一端側（Ａ方向）へ移動させる。これにより、清掃ロール７０から清掃ロール７０の軸方向一端側へトナーが排除される。清掃ロール７０の軸方向一端側へ排除されたトナーは、清掃ロール７０の軸方向一端部に設けられた制限部９０によって、軸受７８への移動が制限される。このため、トナーの軸受７８へ移動が許容される構成に比べ、軸受７８にトナーが入り込むことが抑制される。
【００６５】
また、清掃ロール７０の回転により、溝部７３における軸方向中央側の縁部７３Ａが、清掃ロール７０と加熱ロール６２との接触領域Ｎ２にあるトナーを、軸方向他端側（Ｂ方向）へ押して、軸方向他端側（Ｂ方向）へ移動させる。これにより、清掃ロール７０から清掃ロール７０の軸方向他端側へトナーが排除される。清掃ロール７０の軸方向他端側へ排除されたトナーは、清掃ロール７０の軸方向他端部に設けられた制限部９０によって、軸受７８への移動が制限される。このため、トナーの軸受７８へ移動が許容される構成に比べ、軸受７８にトナーが入り込むことが抑制される。
【００６６】
このように、加熱ロール６２に付着したトナーが軸方向へ移動されるので、加熱ロール６２の軸方向（交差方向）における局所的なトナーの堆積が抑制される。これにより、トナーが局所的に堆積することに起因するトナーの除去不良（清掃不良）及び、トナーの除去不良に起因する画像不良が抑制される。
【００６７】
（第二実施形態）
第二実施形態に係る定着装置１６０について説明する。図６及び図７は、定着装置１６０を示す図である。なお、第一実施形態と同一機能を有する部分については、適宜、同一符号を付して、その説明を省略する。
【００６８】
定着装置１６０は、図６及び図７に示されるように、定着装置６０と同様に、加熱ロール６２と、加圧ロール６４と、を有している。さらに、定着装置１６０は、加熱ロール６２の表面層６２Ｃを清掃する清掃ロール１７０（除去部材の一例）と、清掃ロール１７０の外周面を清掃する清掃ロール１８０（除去体の一例）と、を有している。
【００６９】
清掃ロール１７０は、軸部１７０Ａと、弾性層１７０Ｂと、を有している。軸部１７０Ａは、制限部９０が設けられていない点を除いて、清掃ロール７０の軸部７０Ａと同様に構成されている。また、弾性層１７０Ｂは、溝部７２、７３を有していない点を除いて、清掃ロール７０の弾性層７０Ｂと同様に構成されている。
【００７０】
清掃ロール１８０は、軸部１８０Ａと、弾性層１８０Ｂと、を有している。軸部１８０Ａは、清掃ロール７０の軸部７０Ａと同様に構成されている。弾性層１８０Ｂは、清掃ロール１７０の弾性層１７０Ｂと接触している点を除いて、清掃ロール７０の弾性層７０Ｂと同様に構成されている。したがって、弾性層１８０Ｂは、溝部７２、７３と同様に構成された溝部１８２、１８３を有している。溝部１８２、１８３は、縁部７２Ａ、７３Ａと同様に構成された縁部１８２Ａ、１８３Ａを有している。
【００７１】
定着装置１６０では、清掃ロール７０は、加熱ロール６２の表面層６２Ｃに接触した状態で回転することで、加熱ロール６２に付着したトナーを除去し、除去されたトナーを自らの弾性層７０Ｂに付着させる。
【００７２】
さらには、清掃ロール１８０は、清掃ロール１７０の弾性層１７０Ｂに接触した状態で回転することで、清掃ロール１７０に付着したトナーを除去し、除去されたトナーを自らの弾性層１８０Ｂに付着させる。
【００７３】
このように、定着装置１６０では、溝部１８２、１８３を有する清掃ロール１８０が加熱ロール６２ではなく、清掃ロール１７０に付着したトナーを除去する点で、清掃ロール７０と異なる。また、清掃ロール１８０は、弾性層１８０Ｂを持たず、軸部１８０Ａがむき出しの状態で構成されていても良い。この場合では、溝部１８２、１８３が軸部１８０Ａに形成される。さらに、軸部１８０Ａの表面に、一例として、ブラスト加工を施してもよい。ブラスト加工を施すことで、軸部表面が平滑であるときと比べ、トナーとの付着力が向上する。
【００７４】
（第二実施形態に係る作用）
本実施形態では、画像形成部１４にて縁なしのトナー画像が記録媒体Ｐに形成され、該トナー画像が定着装置１６０で定着されると、以下のように、加熱ロール６２の外周面（表面層６２Ｃの外周面）にトナーが付着する。
【００７５】
図５（Ａ）に示されるように、縁なしのトナー画像Ｇは、記録媒体Ｐの表面における側端ＰＳ側までトナーが転写される。このため、接触領域Ｎ１（図２参照）にて記録媒体Ｐが加圧されると、図５（Ｂ）に示されるように、トナーが記録媒体Ｐの側端ＰＳから外側へはみ出して加熱ロール６２の外周面に付着する。
【００７６】
このように、トナーが記録媒体Ｐの側端ＰＳから外側へはみ出して加熱ロール６２の外周面に付着するため、記録媒体Ｐの側端ＰＳが通過する位置Ｘ１、Ｘ２（図７参照）からその外側の領域Ｙ１、Ｙ２（図７参照）でトナーが付着しやすい。
【００７７】
そして、清掃ロール１７０は、加熱ロール６２の表面層６２Ｃに接触した状態で回転することで、加熱ロール６２に付着したトナーを除去し、除去されたトナーを自らの弾性層７０Ｂに付着させる。
【００７８】
さらに、清掃ロール１８０は、清掃ロール１７０に接触した状態で回転することで、清掃ロール１７０に付着したトナーを除去し、除去されたトナーを自らの表面に付着させる。
【００７９】
ここで、溝部１８２、１８３を有さない清掃ロール１８０を用いた構成（比較例）では、清掃ロール１７０に付着したトナーが、清掃ロール１７０の軸方向に移動されず、加熱ロール６２において付着した軸方向の位置（領域Ｙ１、Ｙ２に対応する軸方向位置）で留まる。このため、清掃ロール１７０の軸方向（交差方向）において局所的にトナーが堆積する。このトナーの堆積によって、清掃ロール１７０のトナーの除去能力が低下すると、加熱ロール６２の軸方向（交差方向）において局所的にトナーが堆積する。トナーが局所的に堆積すると、清掃ロール７０の堆積した部分で、トナーの除去性能が低下する。また、トナーが局所的に堆積すると、清掃ロール７０と加熱ロール６２との間に接触圧が低い部分が形成される。以上により、加熱ロール６２に対するトナーの除去不良（清掃不良）が生じる。
【００８０】
これに対して、本実施形態では、清掃ロール１８０の回転により、溝部１８２における軸方向中央側の縁部１８２Ａが、清掃ロール１８０と清掃ロール１７０との間にあるトナーを、軸方向一端側（Ａ方向）へ押して、軸方向一端側（Ａ方向）へ移動させる。これにより、清掃ロール１８０から清掃ロール１８０の軸方向一端側へトナーが排除される。清掃ロール１８０の軸方向一端側へ排除されたトナーは、清掃ロール１８０の軸方向一端部に設けられた制限部９０によって、軸受７８への移動が制限される。このため、トナーの軸受７８へ移動が許容される構成に比べ、軸受７８にトナーが入り込むことが抑制される。
【００８１】
また、清掃ロール１８０の回転により、溝部１８３における軸方向中央側の縁部１８３Ａが、清掃ロール１８０と清掃ロール１７０との間にあるトナーを、軸方向他端側（Ｂ方向）へ押して、軸方向他端側（Ｂ方向）へ移動させる。これにより、清掃ロール１８０から清掃ロール１８０の軸方向他端側へトナーが排除される。清掃ロール１８０の軸方向他端側へ排除されたトナーは、清掃ロール１８０の軸方向他端部に設けられた制限部９０によって、軸受７８への移動が制限される。このため、トナーの軸受７８へ移動が許容される構成に比べ、軸受７８にトナーが入り込むことが抑制される。
【００８２】
このように、清掃ロール１７０に付着したトナーが軸方向へ移動されるので、清掃ロール１７０の軸方向（交差方向）における局所的なトナーの堆積が抑制される。これにより、清掃ロール１７０の除去性能が維持され、加熱ロール６２の軸方向（交差方向）における局所的なトナーの堆積が抑制される。
【００８３】
トナーが局所的に堆積することに起因するトナーの除去不良（清掃不良）及び、トナーの除去不良に起因する画像不良が抑制される。
【００８４】
また、第二実施形態では、加熱ロール６２に接触する清掃ロール１７０が溝部を有していないため、溝部の縁部などで加熱ロール６２の表面層６２Ｃを傷付けることが抑制される。
【００８５】
（第二実施形態の変形例）
前述の清掃ロール１７０は、溝部を有していなかったが、溝部７２、７３を有する清掃ロール７０と同様に構成してもよい。これにより、加熱ロール６２に付着したトナーが加熱ロール６２の軸方向（交差方向）に移動され、加熱ロール６２の軸方向（交差方向）における局所的なトナーの堆積が効果的に抑制される。
【００８６】
（第一実施形態及び第二実施形態の変形例）
第一実施形態及び第二実施形態では、除去体として、清掃ロール７０及び清掃ロール１８０を用いたが、これに限られない。除去体としては、例えば、図８に示されるように、清掃シート２７０（ウエブ）を用いてもよい。なお、図８に示す例は、清掃ロール７０に替えて清掃シート２７０を用いた例である。
【００８７】
図８に示す例では、清掃シート２７０が、例えば、長さを有する帯状の不織布で構成されている。清掃シート２７０は、ロール状に巻かれると共に、長さ方向一端が巻き出されることで、加熱ロール６２に接触した状態でＥ方向（長さ方向）に移動してトナーを除去する。
【００８８】
清掃シート２７０の幅方向一端部には、清掃シート２７０の移動により、清掃シート２７０と加熱ロール６２との間にあるトナーを、幅方向一端側（Ａ方向）へ押して、幅方向一端（Ａ方向）へ移動させる凹凸２７２が形成されている。
【００８９】
清掃シート２７０の幅方向他端部には、清掃シート２７０の移動により、清掃シート２７０と加熱ロール６２との間にあるトナーを、軸方向他端側（Ｂ方向）へ押して、軸方向他端（Ｂ方向）へ移動させる凹凸２７３が形成されている。この凹凸２７２、２７３は、たとえば、不織布で構成された清掃シート２７０の繊維の方向を移動方向に対して幅方向外側へ傾斜させることで形成される。
【００９０】
第一実施形態及び第二実施形態では、清掃ロール７０及び清掃ロール１８０は、それぞれ、溝部７２、７３及び溝部１８２、１８３を有していたが、これに限られない。清掃ロール７０及び清掃ロール１８０は、溝部７２、７３及び溝部１８２、１８３に替えて、図９に示されるように、切込み２７８を有していてもよい。
【００９１】
さらに、清掃ロール７０及び清掃ロール１８０は、溝部７２、７３及び溝部１８２、１８３に替えて、図１０（Ａ）（Ｂ）に示されるように、凸部２８０を有していてもよい。凸部２８０は、図１０（Ａ）に示されるように、断面半円状であってもよいし、図１０（Ｂ）に示されるように、断面三角形状であってもよい。凸部２８０は、清掃ロール７０及び清掃ロール１８０の表面にワイヤやテープを螺旋状に巻き付けることで形成してもよい。したがって、凸部２８０は、弾性層７０Ｂ、１８０Ｂもしくは軸部１８０Ａと別部材で構成されていてもよい。
【００９２】
第一実施形態及び第二実施形態では、清掃ロール７０、１８０の溝部７２、７３、１８２、１８３は、それぞれ、一続きの螺旋状とされていたが、これに限られない。例えば、図１１に示されるように、線状に形成された溝部２８８が階段状に複数配置された構成であってもよい。このように、溝部としては、前述の本実施形態のように、連続的に形成されたものであってもよいし、変形例のように、不連続的に形成されたものであってもよい。なお、図１１は、清掃ロール７０、１８０の外周面を展開して平面状に示したものである。
【００９３】
第一実施形態及び第二実施形態では、制限部９０は、板状に形成されていたが、これに限られない。制限部としては、図１２に示されるように、例えば、軸方向内側に凹状に形成された制限部２９０であってもよい。
【００９４】
第一実施形態及び第二実施形態では、加熱体の一例として加熱ロール６２を用いたが、これに限られず、加熱体の一例としては、例えば、加熱ベルトであってもよい。
【００９５】
第一実施形態及び第二実施形態では、加圧体の一例として加圧ロール６４を用いたが、これに限られず、加圧体の一例としては、例えば、加圧ベルトであってもよい。
【００９６】
前述の清掃ロール７０、１８０では、溝部７２、７３、１８２、１８３によって、トナーを軸方向両端側へ移動させていたが、これに限られない。清掃ロール７０、１８０は、例えば、溝部によって、トナーを軸方向中央側に移動させる構成であってもよい。また、清掃ロール７０、１８０は、例えば、溝部によって、トナーを軸方向一端側へ向けて、軸方向の一方に移動させる構成であってもよい。
【００９７】
前述の清掃ロール７０、１７０は、駆動回転する構成であったが、これに限られず、例えば、清掃ロール７０、１７０は、加熱ロール６２に従動して回転する構成であってもよい。また、清掃ロール１８０は、駆動回転する構成であったが、これに限られず、例えば、清掃ロール１７０に従動して回転する構成であってもよい。
【００９８】
前述の清掃ロール７０、１７０は、加熱ロール６２と同一方向（図２及び図６における時計周り方向）に回転する構成であったが、これに限られない。例えば、清掃ロール７０、１７０は、加熱ロール６２に対して周速差を有して、加熱ロール６２と逆方向（図２及び図６における反時計周り方向）へ回転する構成であってもよい。また、清掃ロール１８０は、清掃ロール１７０と同一方向（図６における時計周り方向）に回転する構成であったが、これに限られない。例えば、清掃ロール１８０は、清掃ロール１７０に対して周速差を有して、清掃ロール１７０と逆方向へ回転する構成であってもよい。
【００９９】
本実施形態では、制限部９０は、清掃ロール７０、１８０の軸部７０Ａ、１８０Ａに設けられていたが、これに限られない。例えば、加熱ロール６２の軸部及び清掃ロール１７０の軸部７０Ａに設けられていてもよい。
【０１００】
本実施形態では、制限部９０は、清掃ロール７０、１８０の軸部７０Ａ、１８０Ａの軸方向両端部に設けられていたが、これに限られない。例えば、制限部９０は、清掃ロール７０、１８０の軸部７０Ａ、１８０Ａの軸方向一端部のみに設けられていてもよい。すなわち、制限部９０は、清掃ロール７０、１８０の軸部７０Ａ、１８０Ａの少なくとも軸方向一端部に設けられていればよい。
【０１０１】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【０１０２】
１０   画像形成装置
１４   画像形成部
６０   定着装置
６２   加熱ロール（加熱体の一例）
７０   清掃ロール（除去体の一例）
９０   制限部
１６０ 定着装置
１７０ 清掃ロール（除去部材の一例）
１８０ 清掃ロール（除去体の一例）
【図１】
2017026718.tif 000003
【図２】
2017026718.tif 000004
【図３】
2017026718.tif 000005
【図４】
2017026718.tif 000006
【図５】
2017026718.tif 000007
【図６】
2017026718.tif 000008
【図７】
2017026718.tif 000009
【図８】
2017026718.tif 000010
【図９】
2017026718.tif 000011
【図１０】
2017026718.tif 000012
【図１１】
2017026718.tif 000013
【図１２】
2017026718.tif 000014